(57)【特許請求の範囲】
【請求項１】
アクチュエータユニット及び光学部品を支持する昇降ユニットを含み、前記アクチュエータユニットは、駆動源である電磁モータと、前記昇降ユニットに動力を伝達する動力伝達機構とを含み、前記動力伝達機構は、主軸と、前記主軸に套設され、前記主軸の軸方向に運動可能なリンクプレートとを含み、前記リンクプレートが前記昇降ユニットに接続され、前記電磁モータが発生する駆動力により、前記リンクプレートを介して前記昇降ユニットの昇降を制御し、前記昇降ユニットは、板ばねと昇降プレートを含み、前記板ばねは、一端が前記昇降プレートに固定されており、他端が前記リンクプレートに当接して前記リンクプレートに弾性力を加えることを特徴とする光学部品駆動装置。
【請求項２】
前記動力伝達機構は、前記電磁モータに取り付けられる駆動ギヤ、前記駆動ギヤに接続される中間ギヤ、前記中間ギヤに接続される従動ギヤ、前記従動ギヤに固定接続されるリードスクリュー、及び前記リードスクリューにねじ接続されるナットを含み、前記駆動ギヤ、前記中間ギヤ、前記従動ギヤ及び前記リードスクリューの軸線は前記光学部品の光軸及び前記電磁モータの軸線と平行であることを特徴とする請求項１に記載の光学部品駆動装置。
【請求項３】
前記ナットは、前記ナットの回転を規制するナット凸部を有することを特徴とする請求項２に記載の光学部品駆動装置。
【請求項４】
前記リンクプレートは、前記リンクプレートの回転を規制するリンクプレート凸部を有することを特徴とする請求項２に記載の光学部品駆動装置。
【請求項５】
前記ナットの前記従動ギヤに近い面はナット傾斜面として設置されることを特徴とする請求項２に記載の光学部品駆動装置。
【請求項６】
前記昇降ユニットは、副軸と、前記副軸に套設され、前記副軸の軸方向に前記昇降プレートに弾性力を加えることが可能なばねとを含み、前記昇降プレートは前記副軸に套設され、前記副軸の軸方向に運動可能であることを特徴とする請求項１に記載の光学部品駆動装置。
【請求項７】
前記昇降プレートは、前記昇降プレートが前記副軸回りに回転することを規制する昇降プレート凸部を有することを特徴とする請求項６に記載の光学部品駆動装置。
【請求項８】
前記アクチュエータユニットは位置検知センサーを含むことを特徴とする請求項１に記載の光学部品駆動装置。
【請求項９】
ケースと、光学部品と、請求項１〜８のいずれか一項に記載の光学部品駆動装置とを備え、前記光学部品は、前記光学部品駆動装置により駆動されることにより、光軸方向において前記ケースから繰り出され、又は前記ケースへ引っ込められることを特徴とする撮像装置。
【請求項１０】
前記光学部品は、前記ケースと前記昇降プレートとの間に設置された伸縮可能な筒状部材を含むことを特徴とする請求項９に記載の撮像装置。
【請求項１１】
前記ケースは、前記光学部品駆動装置の昇降プレートの回転を規制するケース嵌合部をさらに含むことを特徴とする請求項９に記載の撮像装置。
【請求項１２】
請求項９〜１１のいずれか一項に記載の撮像装置を備えることを特徴とする携帯式電子機器。
【発明の詳細な説明】
【技術分野】
【０００１】
本発明は、携帯式電子機器に関し、特に携帯式電子機器に用いられる撮像装置及び撮像装置に用いられる光学部品駆動装置に関する。
【背景技術】
【０００２】
近年、撮像素子の高画素化や高画質の光学系への要求が高くなり、光学部品駆動装置は、数多くの撮影装置で広く応用されている。光学部品駆動装置を各種の携帯式電子機器、例えば携帯電話、タブレットコンピュータ等に応用したものは、特に消費者に受け入れられている。
【０００３】
通常の携帯式電子機器に適用された光学部品駆動装置の駆動機構は、撮像素子に対しレンズ群は固定であるか、倍率を有する光学系を用いている。しかしながら、例えば携帯式電子機器に搭載する小型の光学機器であって、光学全長の長い高倍率光学系では携帯式電子機器にそのまま搭載することは難しく、屈曲構造を用いる必要があった。
この屈曲構造を用いた光学系では、光線を屈曲するためのプリズムやミラーが光学系の前後に配置される。小型化が進む携帯式電子機器では屈曲光学系の全長は長くなり、携帯式電子機器の搭載面積占有率が増し、小型化を阻害する可能性があった。
【０００４】
従って、以上の課題を解決できる新しい光学部品駆動装置、撮像装置及び携帯式電子機器を提供することが必要となる。
【先行技術文献】
【特許文献】
【０００５】
【特許文献１】特開２０１２−１７７９０４号公報
【特許文献２】特開２０１４−１３４２０号公報
【発明の概要】
【発明が解決しようとする課題】
【０００６】
本発明は以上の問題点を鑑みてなされたものであり、高解像度を有した光学系の性能を劣化させることなく、かつ、従来技術に記載の屈曲光学系のように立体スペースを多くとることなく、省スペースな光学部品駆動装置、撮像装置及び携帯式電子機器を実現することを目的とする。
【課題を解決するための手段】
【０００７】
本発明の目的は以下のように実現された。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００８】
上記の技術的課題を解決するために、本発明には、光学部品駆動装置が提供され、前記光学部品駆動装置は、アクチュエータユニット及び光学部品を支持する昇降ユニットを含み、前記アクチュエータユニットは、駆動源である電磁モータと、前記昇降ユニットに動力を伝達する動力伝達機構とを含み、前記動力伝達機構は、主軸と、前記主軸に套設され、前記主軸の軸方向に運動可能なリンクプレートとを含み、前記リンクプレートが前記昇降ユニットに接続され、前記電磁モータが発生する駆動力により、前記リンクプレートを介して前記昇降ユニットの昇降を制御する。
【０００９】
好ましくは、前記動力伝達機構は、前記電磁モータに取り付けられる駆動ギヤ、前記駆動ギヤに接続される中間ギヤ、前記中間ギヤに接続される従動ギヤ、前記従動ギヤに固定接続されるリードスクリュー、及び前記リードスクリューにねじ接続されるナットを含み、前記ナットが前記リンクプレートと当接し、前記駆動ギヤ、前記中間ギヤ、前記従動ギヤ及び前記リードスクリューの軸線は前記光学部品の光軸及び前記電磁モータの軸線と平行である。
【００１０】
好ましくは、前記ナットは、前記ナットの回転を規制するナット凸部を有する。
【００１１】
好ましくは、前記リンクプレートは、前記リンクプレートの回転を規制するリンクプレート凸部を有する。
【００１２】
好ましくは、前記ナットの前記従動ギヤに近い面はナット傾斜面として設置される。
【００１３】
好ましくは、前記昇降ユニットは、副軸と、前記副軸に套設され、前記副軸の軸方向に運動可能な昇降プレートと、前記副軸に套設され、前記副軸の軸方向に前記昇降プレートに弾性力を加えることが可能なばねとを含む。
【００１４】
好ましくは、前記昇降プレートは、前記昇降プレートが前記副軸回りに回転することを規制する昇降プレート凸部を有する。
【００１５】
好ましくは、前記昇降ユニットは、板ばねを有し、前記板ばねは、一端が前記昇降プレートに固定されており、他端が前記リンクプレートに当接して前記リンクプレートに弾性力を加える。
【００１６】
好ましくは、前記アクチュエータユニットは位置検知センサーを含む。
【００１７】
本発明には、撮像装置がさらに提供され、前記撮像装置は、ケースと、光学部品と、上記の光学部品駆動装置とを備え、前記光学部品は、前記光学部品駆動装置により駆動されることにより、光軸方向において前記ケースから繰り出され、又は前記ケースへ引っ込められる。
【００１８】
好ましくは、前記光学部品は、前記ケースと前記昇降プレートとの間に設置された伸縮可能な筒状部材を含む。
【００１９】
好ましくは、前記ケースは、前記光学部品駆動装置の昇降プレートの回転を規制するケース嵌合部をさらに含む。
【００２０】
本発明には、上記の撮像装置を備える携帯式電子機器がさらに提供される。
【発明の効果】
【００２１】
本発明の利点として、本発明の光学部品駆動装置は、従来技術に記載の屈曲光学系に対し、撮影装置の立体スペースを省スペース化することが可能となり、且つレンズ群には撮影状態で高解像度を有した光学系の性能を持たせることができる。本発明に係る光学部品駆動装置は、非撮影時に光学系、光学系を保持している部材、手振れ防止・ピント調整モジュール等の部材をケースへ格納する機構により、撮影装置の厚み方向においても小型化を可能としている。
その為、本発明は、高画素化、高性能な撮影装置を実現することができ、且つ小型化が進む携帯式電子機器の中でより効率の良いカメラ機構を成立させる目的が達成でき、撮像画像の品質を向上させる。
【図面の簡単な説明】
【００２２】
【図１】本発明の実施形態の撮像装置を上方向から見た斜視図である。
【図２】本発明の実施形態の撮像装置を下方向から見た斜視図である。
【図３】本発明の実施形態の撮像装置のアクチュエータカバーを除き、上方向から見た斜視図である。
【図４】本発明の実施形態の撮像装置のアクチュエータケース、アクチュエータカバーを除き、前方向から見た斜視図である。
【図５】本発明の実施形態の撮像装置のケースを除き、前方向から見た斜視図である。
【図６】本発明の実施形態の撮像装置の前方向から見た分解図である。
【図７】本発明の実施形態の撮像装置の後方向から見た分解図である。
【図８】本発明の実施形態の撮像装置を、レンズ群が繰り出された状態で光軸に平行な面で切った断面図である。
【図９】本発明の実施形態の撮像装置を、レンズ群が引っ込められた状態で光軸に平行な面で切った断面図である。
【図１０】本発明の実施形態の撮像装置を光軸に平行な面で主軸と副軸を通る断面図である。
【図１１ａ】本発明の実施形態の撮像装置を主軸に平行な面で切った断面図の拡大図である。
【図１１ｂ】本発明の実施形態の撮像装置を、撮影状態にて主軸に平行な面で切った断面図の拡大図である。
【図１２】本発明の実施形態の撮像装置を光軸に平行な面で切った断面図の拡大図である。
【図１３】本発明の実施形態の撮像装置の板ばね部を光軸に平行な面で切った断面図の拡大図である。
【図１４】本発明の実施形態の撮像装置のナットとナット嵌合部、及びリンクプレートとリンクプレート嵌合部の拡大図である。
【図１５】本発明の実施形態の撮像装置のアクチュエータケースとアクチュエータカバーフックの符号付きの図である。
【図１６】本発明の実施形態の撮像装置のリードスクリューとナットの回転規制部の詳細図である。
【図１７】本発明の実施形態の撮像装置のナット傾斜面の詳細図である。
【図１８】本発明の実施形態の撮像装置においてアクチュエータユニットの詳細図である。
【図１９】本発明の実施形態の撮像装置において昇降プレートとケースの回転方向の規制関係の詳細図である。
【図２０】本発明の実施形態の撮像装置において昇降プレートとばねの関係の詳細図である。
【図２１】本発明の実施形態の撮像装置において昇降プレートとケースの撮影時の位置決め関係の詳細図である。
【図２２】本発明の実施形態の撮像装置においてカバーと撮像素子周辺の関係についての詳細図である。
【図２３】本発明の撮像装置を備えた携帯式電子機器（携帯情報端末）である。
【符号の説明】
【００２３】
１０ａ    …  レンズ群
１０ｂ    …  レンズバレル
１０ｃ    …  手振れ防止・ピント調整モジュール
１０ｄ    …  オーナメントリング
１０ｅ    …  カバーガラス
１１    …  電磁モータ
１２    …  アクチュエータケース
１２ａ、１２ｂ  …  ナット嵌合部
１２ｃ、１２ｄ  …  リンクプレート嵌合部
１２ｅ  …  アクチュエータケース爪
１３    …  アクチュエータカバー
１３ａ  …  アクチュエータカバーフック
１４    …  ケース
１４ａ  …  ケース嵌合部
１４ｂ  …  内部面
１５    …  カバー
１６ａ    …  駆動ギヤ
１６ｂ    …  中間ギヤ
１６ｃ    …  従動ギヤ
１６ｃ−１  …  第１カット
１７    …  主軸
１８ａ    …  第１ブッシュ
１８ｂ    …  第２ブッシュ
１９    …  リンクプレート
１９ａ  …  リンクプレート凸部
２０    …  リードスクリュー
２０ａ  …  第２カット
２１    …  ばね
２１ａ  …  ばねフック
２３    …  板ばね
２４    …  副軸
２５    …  ナット
２５ａ  …  ナット凸部
２５ｂ  …  ナット傾斜面
２６    …  昇降プレート
２６ａ  …  昇降プレート凸部
２６ｂ  …  ボス形状
２７    …  筒状部材
２８    …  フレキシブルプリント基板
２９    …  位置検知センサー
３０ａ    …  撮像素子
３０ｂ    …  撮像素子ケース
３０ｃ    …  赤外カットフィルター
３０ｄ    …  撮像素子基板
１００  …  撮像装置
１１０  …  アクチュエータユニット
２００  …  携帯式電子機器
Ｏ１  …  光軸
Ｏ２  …  昇降プレート回転方向
Ｓ１    …  第１クリアランス
Ｓ２    …  第２クリアランス
【発明を実施するための形態】
【００２４】
以下、図面を参照しながら、本発明について詳しく説明する。
【００２５】
図１〜図１６に示されるように、本発明に係る撮像装置１００は、カバー１５と、カバー１５に取り付けられ、カバー１５と共に収容空間を形成するケース１４と、光軸Ｏ１に沿ってケース１４から繰り出すことが可能である光学部品と、ケース１４に設置され且つ光学部品を昇降させるよう駆動するための光学部品駆動装置と、カバー１５の底部に設置される撮像素子モジュールとを備える。
【００２６】
図１〜図１３は、本発明の実施形態に係る光学部品駆動装置、撮像装置及びそれらの構成要素を示している。撮像装置１００の撮像光学系は、光学部品としてのレンズ群１０ａと、撮像素子モジュールとしての赤外カットフィルター３０ｃ及び撮像素子３０ａとを含む。
【００２７】
撮像時に、光軸Ｏ１に沿って入射した被写体からの光束は、カバーガラス１０ｅを通り、レンズ群１０ａ、赤外カットフィルター３０ｃを通り、撮像素子３０ａの撮像面上に結像される。
【００２８】
図１〜図６、図１８に示されるように、光学部品駆動装置は、アクチュエータユニット１１０及び光学部品を支持する昇降ユニットを含み、アクチュエータユニット１１０は、駆動源である電磁モータ１１と、昇降ユニットに動力を伝達する動力伝達機構とを含む。動力伝達機構は、主軸１７と、主軸１７に套設され、主軸の軸方向に運動可能なリンクプレート１９とを含む。リンクプレート１９が昇降ユニットに接続され、電磁モータ１１が発生する駆動力により、リンクプレート１９を介して昇降ユニットの昇降を制御する。
【００２９】
したがって、昇降ユニットにより光学部品の光軸Ｏ１方向における昇降を駆動することができる。即ち、撮影時に、アクチュエータユニット１１０が昇降ユニットを上昇させるように制御し、光学部品は光軸Ｏ１に沿ってケース１４へ繰り出される。非撮影時に、アクチュエータユニット１１０が昇降ユニットを降下させるように制御し、光学部品はケース１４へ引っ込められる。
【００３０】
以上の構成により、本発明の光学部品駆動装置は、従来技術に記載の屈曲光学系に対し、撮影装置の立体スペースを省スペース化することが可能となり、且つレンズ群には撮影状態で高解像度を有した光学系の性能を持たせることができる。
【００３１】
本発明では、電磁モータ１１はリンクプレート１９の主軸１７の軸方向における運動を直接的又は間接的に制御することができる。
【００３２】
図１８に示されるように、リンクプレート１９は、電磁モータ１１からの駆動力を受け取ってから、リンクプレート１９に接続される昇降ユニットを昇降させるように制御する。具体的には、動力伝達機構は、電磁モータ１１に取り付けられる駆動ギヤ１６ａ、駆動ギヤ１６ａに接続される中間ギヤ１６ｂ、中間ギヤ１６ｂに接続される従動ギヤ１６ｃ、従動ギヤ１６ｃに固定接続されるリードスクリュー２０、及びリードスクリュー２０にねじ接続されるナット２５を含んでもよく、ナット２５がリンクプレート１９と当接し、駆動ギヤ１６ａ、中間ギヤ１６ｂ、従動ギヤ１６ｃ及びリードスクリュー２０の軸線は光学部品の光軸及び電磁モータ１１の軸線と平行である。電磁モータ１１が発生する駆動力により、上記の部品を介してリンクプレート１９に接続される昇降ユニットを昇降させるように制御する。このような本発明の動力伝達機構により、光学部品駆動装置の構造をコンパクトにすることができ、動力伝達の効果が優れている。
【００３３】
図７に示されるように、アクチュエータユニット１１０は、位置検知センサー２９が設けられたフレキシブルプリント基板２８を含んでもよい。フレキシブルプリント基板２８は外部の制御システムに接続されている。外部の制御システムは位置検知センサー２９から取得した情報に基づいて電磁モータを制御することができる。位置検知センサー２９を設置することで、昇降プレート２６に搭載される光学部品が光軸方向に運動する際の位置を検知することができる。
【００３４】
図３、図４及び図６に示されるように、駆動ギヤ１６ａは電磁モータ１１の回転軸に圧入固定されている。アクチュエータユニット１１０は、電磁モータ１１を保持するためのアクチュエータケース１２と、アクチュエータケース１２に固定されるアクチュエータカバー１３とをさらに含む。中間ギヤ１６ｂ、従動ギヤ１６ｃ、リードスクリュー２０及び主軸１７はアクチュエータケース１２及び／又はアクチュエータカバー１３により支持されている。中間ギヤ１６ｂが駆動ギヤ１６ａと従動ギヤ１６ｃの間に配置されることにより、駆動ギヤ１６ａの駆動力を従動ギヤ１６ｃに伝達する。リードスクリュー２０にはナット２５がねじ嵌合しており、ナット２５はリンクプレート１９と当接する。図１４に示されるように、ナット２５は、ナット２５の回転を規制するナット凸部２５ａを有し、ナット凸部２５ａはアクチュエータケース１２のナット嵌合部１２ａ、１２ｂに抱え込まれるようにナット２５の回転運動を規制し、これにより、ナット２５はリードスクリュー２０に対しリードスクリュー２０の軸方向にのみ運動する。
【００３５】
また、図７に示されるように、リンクプレート１９は第１ブッシュ１８ａに固定されることができ、第１ブッシュ１８ａは主軸１７に対し主軸１７の軸方向に運動することが可能である。第１ブッシュ１８ａが主軸１７の軸方向に運動する際に、リンクプレート１９は第１ブッシュ１８ａに従って主軸１７の軸方向に運動するようになる。図１４に示されるように、リンクプレート１９は、リンクプレート１９の回転を規制するリンクプレート凸部１９ａを有し、リンクプレート凸部１９ａは、アクチュエータケース１２のリンクプレート嵌合部１２ｃ、１２ｄに抱え込まれるようにリンクプレートの回転運動を規制し、これにより、リンクプレート１９は主軸１７の軸方向にのみ運動する。アクチュエータユニット１１０はケース１４における光学部品側に設置されることが好ましい。
【００３６】
図１５に示されるように、アクチュエータカバー１３はアクチュエータカバーフック１３ａを有し、アクチュエータカバーフック１３ａはアクチュエータケース１２のアクチュエータケース爪１２ｅと係合固定される。この構成により、アクチュエータユニット１１０を容易に組み立てることができ、構造がコンパクトになる。
【００３７】
図１６に示されるように、従動ギヤ１６ｃは第１カット１６Ｃ−１を有し、リードスクリュー２０は第２カット２０ａを有する。第１カット１６Ｃ−１と第２カット２０ａを嵌合させることで、従動ギヤ１６ｃのリードスクリュー２０に対する回転を規制することができ、リードスクリュー２０は従動ギヤ１６ｃと共に回転することができる。
【００３８】
図１１ａ及び図１１ｂに示されるように、リードスクリュー２０に係合しているナット２５と従動ギヤ１６ｃとの間に第１クリアランスＳ１が存在し、ナット２５がこの領域まで運動すると、ナット２５とリンクプレート１９は図１１ｂに示す非接触状態にある。具体的には、図５及び図１０に示されるように、リードスクリュー２０が回転駆動されてナットが被写体側へ運動すると、昇降プレート２６はばね２１による弾性力で上昇し、昇降プレート２６はリンクプレート１９を上昇させるよう駆動し、これによってリンクプレート１９とナット２５はずっと当接保持状態を保持している。昇降プレート２６が撮影状態まで上昇すると、図２１に示されるように、昇降プレート２６に設置された被写体側に向かうボス形状２６ｂがケース１４の内部面１４ｂに当接し、これによって昇降プレート２６は上昇し続けることができない。この時、リンクプレート１９が昇降プレート２６に接続されているため、リンクプレート１９も上昇し続けることができなくなる。リンクプレート１９が図１１ａに示す上昇し続けることができない位置にある場合、ナット２５が依然としてリンクプレート１９と接触すれば、ナット２５と従動ギヤ１６ｃとの間のクリアランスは本発明で定義された第１クリアランスＳ１である。第１クリアランスＳ１を設置することで、リンクプレート１９が上昇し続けることができない位置にあっても、ナット２５は依然として第１クリアランスＳ１における任意の位置まで上昇でき、ナット２５とリンクプレート１９は非接触状態となる。ナット２５とリンクプレート１９が非接触状態となると、ばね２１により、リンクプレート１９を確実に、ボス形状２６ｂが内部面１４ｂに当接する撮影位置まで押すことができる。
【００３９】
図１７に示されるように、ナット２５の従動ギヤ１６ｃに近い面はナット傾斜面２５ｂとして設置される。ナット傾斜面２５ｂと水平面との間の傾斜角はリードスクリュー２０のリード角と略同じである。ナット傾斜面２５ｂを設置することで、制御不能となってナット２５が従動ギヤ１６ｃと接触した場合、ナット２５は従動ギヤ１６ｃから脱出し易くなる。
【００４０】
図１８に示されるように、リンクプレート１９の中間部分に第１ブッシュ１８ａが固定されており、第１ブッシュ１８ａはリンクプレート１９と共に主軸１７に套設されており、リンクプレート１９と第１ブッシュ１８ａは主軸１７に対し主軸１７の軸方向に運動することが可能である。リンクプレート１９の片側は、リードスクリュー２０の軸方向に運動可能にリードスクリュー２０に套設され、ナット２５に当接する。リードスクリュー２０が回転駆動されると、ナット２５はリードスクリュー２０に沿って上昇したり降下したりし、これにより、リンクプレート１９はナット２５の動きに伴って昇降する。リンクプレート１９の他方側は昇降ユニットに接続されており、リンクプレート１９が駆動されて降下する時に、昇降ユニットを降下させるよう駆動する。
【００４１】
図５〜図１０に示されるように、昇降ユニットは、副軸２４と、副軸２４に套設され、副軸２４の軸方向に運動可能な昇降プレート２６と、副軸２４に套設され、副軸２４の軸方向に昇降プレート２６に弾性力を加えることが可能なばね２１とを含む。
【００４２】
図１０に示されるように、副軸２４はケース１４とカバー１５により支持されており、副軸２４の軸線は光軸Ｏ１に平行で且つ主軸１７と間隔をあけて設置されている。昇降プレート２６は光軸Ｏ１に平行な方向に副軸２４に沿って運動する。昇降ユニットは、副軸２４に套設され、副軸２４の軸方向に運動可能な第２ブッシュ１８ｂを含んでもよい。昇降プレート２６は第２ブッシュ１８ｂに固定されている。これによって、第２ブッシュ１８ｂにより、昇降プレート２６が副軸２４の軸方向に運動するよう駆動することができる。
【００４３】
図１９に示されるように、昇降プレート２６は、昇降プレート２６が副軸２４回りに回転することを規制する昇降プレート凸部２６ａを有する。昇降プレート２６の副軸２４回りの回転を規制するために、昇降プレート凸部２６ａはケース１４に設けられたケース嵌合部１４ａに嵌合される。
【００４４】
図２０は、図５における昇降プレート２６とばね２１の関係の詳細図である。ばね２１のばねフック２１ａと昇降プレート２６の位置関係をより明確に示すために、図２０には、図５における昇降プレート２６とばね２１を逆転させた後の状態が示されている。図２０に示されるように、昇降ユニットは副軸２４に套設されるばね２１を有し、ばね２１は光軸方向において常時被写体側へ昇降プレート２６に付勢を加える。リードスクリュー２０が回転駆動されてナット２５が被写体側へ運動すると、昇降プレート２６はばね２１の弾性力により上昇し、さらに昇降プレート２６はリンクプレート１９を上昇させるよう駆動し、これにより、リンクプレート１９とナット２５の当接保持状態が保持されている。また、ばね２１には、巻き込まれて形成されたばねフック２１ａがさらに設置されており、ばねフック２１ａは昇降プレート２６の側面に当接し、トーションばねの弾性力を利用して常時Ｏ２方向へ付勢を加え、さらに昇降プレート２６の副軸２４回りの回転を規制する。
【００４５】
図２１に示されるように、昇降プレート２６は、光学系が撮影状態の位置決めを行うために、被写体側に向かうボス形状２６ｂを有する。ボス形状２６ｂはケース１４の内部面１４ｂと当接されることができる。
【００４６】
図８に示されるように、昇降ユニットは板ばね２３を含んでもよく、昇降プレート２６とリンクプレート１９は板ばね２３を介して接続することができる。板ばね２３は、一端が昇降プレート２６の片側に固定されており、他端がリンクプレート１９に当接してリンクプレート１９に弾性力を加える。上述したように、昇降プレート２６とリンクプレート１９が同期して運動する。ナット２５により昇降プレート２６を降下させる過程において、リンクプレート１９は板ばね２３を介して昇降プレート２６と当接して昇降プレート２６に従って降下し、これによってばね２１を押し下げる。昇降プレート２６を上昇させる過程において、リードスクリュー２０の回転により昇降プレート２６とリンクプレート１９が当接保持されている状態を保持しながら、ばね２１の弾性力によりナット２５を上昇させる。光軸方向に外部から撮像装置１００に外力が加わった場合は、板ばね２３とばね２１により外部からの衝撃を緩和することが可能になる。
【００４７】
図８及び図９に示されるように、上記の光学部品は、ケース１４と昇降プレート２６との間に設置された伸縮可能な筒状部材２７を含む。伸縮可能な筒状部材２７により、外部からの塵や水を撮像素子モジュール側への侵入を最小限とすることができる。光学部品は、レンズ群１０ａ、レンズ群１０ａを固定するレンズバレル１０ｂ、レンズ群１０ａの物体側に設置されたカバーガラス１０ｅ、オーナメントリング１０ｄ、及び手振れ防止・ピント調整モジュールをさらに含む。
【００４８】
図２２に示されるように、撮像素子モジュールは、撮像素子基板３０ｄ、撮像素子基板３０ｄの上方に設置される撮像素子３０ａ、撮像素子３０ａの上方に設置される赤外カットフィルター３０ｃ及び撮像素子基板３０ｄに固定される撮像素子ケース３０ｂを含み、撮像素子基板３０ｄと撮像素子ケース３０ｂにより形成された空間は撮像素子３０ａと赤外カットフィルター３０ｃを収容することに用いられる。撮像素子モジュールは、カバー１５の底部の凹んだ空間内に配置され、且つカバー１５との間に第２クリアランスＳ２が形成される。撮像素子モジュールをカバー１５に固定する際に、第２クリアランスＳ２は撮像素子モジュールの光軸を補正することに用いられる。
【００４９】
図２３に示されるように、上述した撮像装置１００は、例えばいわゆるスマートフォン、いわゆるフィーチャーフォン、又はタブレット機器等の携帯式電子機器２００用の撮像装置１００に用いられてもよい。
【００５０】
以上は、ただ本発明の好ましい実施形態に過ぎなく、本発明の保護範囲は、上記実施形態に限定されたものではなく、本領域の技術者が本発明に開示された内容に基づき作られた同等の修正または変形は、すべて本願の特許請求の範囲に記載された本発明に含まれている。
【要約】
【課題】本発明は、光学部品駆動装置、撮像装置及び携帯式電子機器を提供する。
【解決手段】本発明に係る光学部品駆動装置は、アクチュエータユニット及び光学部品を支持する昇降ユニットを含み、アクチュエータユニットは、駆動源である電磁モータと、昇降ユニットに動力を伝達する動力伝達機構とを含み、動力伝達機構は、主軸と、主軸に套設され、主軸の軸方向に運動可能なリンクプレートとを含み、リンクプレートが昇降ユニットに接続され、電磁モータが発生する駆動力により、リンクプレートを介して昇降ユニットの昇降を制御する。本発明の光学部品駆動装置は、従来技術に記載の屈曲光学系に対し、撮影装置の立体スペースを省スペース化することが可能となり、且つレンズ群には撮影状態で高解像度を有した光学系の性能を持たせることができる。
【選択図】図８【図１】
0006970488.tif 000002
【図２】
0006970488.tif 000003
【図３】
0006970488.tif 000004
【図４】
0006970488.tif 000005
【図５】
0006970488.tif 000006
【図６】
0006970488.tif 000007
【図７】
0006970488.tif 000008
【図８】
0006970488.tif 000009
【図９】
0006970488.tif 000010
【図１０】
0006970488.tif 000011
【図１１ａ】
0006970488.tif 000012
【図１１ｂ】
0006970488.tif 000013
【図１２】
0006970488.tif 000014
【図１３】
0006970488.tif 000015
【図１４】
0006970488.tif 000016
【図１５】
0006970488.tif 000017
【図１６】
0006970488.tif 000018
【図１７】
0006970488.tif 000019
【図１８】
0006970488.tif 000020
【図１９】
0006970488.tif 000021
【図２０】
0006970488.tif 000022
【図２１】
0006970488.tif 000023
【図２２】
0006970488.tif 000024
【図２３】
0006970488.tif 000025